(57)【要約】【課題】  施工が簡単で且つ方立と無目との連結部の外観が良好な木材−金属複合の壁面構成体を提供する。【解決手段】  本発明の壁面構成体１は、室内側に配置した木製方立３と、木製方立３の室外側に取付けた金属製方立５と、室内側に配置した左右の木製無目７と、左右の木製無目７の室外側に取付けた左右の金属製無目９とを備え、木製無目７は、長手方向端面に突設した軸部１３と、室外側面の長手方向に設けた金属製無目取付部１５とを有し、木製方立３は、室外側面の長手方向に設けた金属製方立取付部１７と、金属製方立取付部１７を左右方向に横断する軸部係止溝１９と、閉鎖板２５とを備え、木製無目３の軸部１３を方立の軸部係止溝１９に係止して軸部係止溝１９の室外側開口を閉鎖板２５で閉じている。【選択図】      図１
2005307727.tif 000002
【特許請求の範囲】
【請求項１】
木製方立と、木製方立の室外側に取付けた金属製方立と、木製無目と、木製無目の室外側に取付けた金属製無目とを備え、木製無目は、長手方向端面に突設した軸部と、室外側面の長手方向に設けた金属製無目取付部とを有し、木製方立は、室外側面の長手方向に設けた金属製方立取付部と、金属製方立取付部を左右方向に横断する軸部係止溝と、閉鎖板とを備え、木製無目の軸部を方立の軸部係止溝に係止して軸部係止溝の室外側開口を閉鎖板で閉じていることを特徴とする壁面構成体。
【請求項２】
木製無目は室外側面に開口し且つ金属製無目の室内側部を呑み込む金属製無目取付溝を金属製無目取付部とし、木製方立は、室外側面に開口し且つ金属製方立の室内側部を呑み込む金属製方立取付溝を金属製方立取付部とすると共に、左右の側面に各々設けてあり且つ室外側から木製無目の端部を入れる開口を有する木製無目端部呑み込み溝と、金属製方立取付溝の溝底に設けた閉鎖板取付溝とを備え、軸部係止溝は木製無目端部呑み込み溝と連通し、金属製方立取付溝の溝底と閉鎖板の室外側面とは略同一面としてあり、金属製無目取付溝の溝底及び金属製方立取付溝の溝底には溝の長手方向に防水材を設けていることを特徴とする請求項１に記載の壁面構成体。
【請求項３】
木製方立は金属製の芯材と、芯材の室内側右側面と室内側左側面と室内側見付面とを被覆した木製の被覆部材とから成り、木製無目は金属製の芯材と、芯材の室内側上面と室内側下面と室内側見付面とを被覆した木製の被覆部材とから成り、金属製無目取付部と軸部とが木製無目の芯材に設けてあり、金属製方立取付部と軸部係止溝とが木製方立の芯材に設けてあることを特徴とする請求項１に記載の壁面構成体。
【請求項４】
軸部は木製無目の芯材の内部に設けた係止溝に固定した金属製部材であり、木製方立の芯材には軸部係止溝を横断する軸部の荷重を受ける金属製の補強部材が設けてあることを特徴とする請求項３に記載の壁面構成体。
【発明の詳細な説明】
【技術分野】
【０００１】
本発明は、カーテンウォール等の壁面構成体に関する。
【背景技術】
【０００２】
特許文献１には、室内側を木製として室外側を金属製とした木材−金属複合の壁面構成体において、木製方立に切欠きを形成して切欠きに木製無目を嵌め入れて、方立と無目とを連結することが開示されている。
しかし、特許文献１には示されていないが、木製方立の切欠きに木製無目を嵌め入れるだけでは外れるおそれがあるので、Ｌ字状の連結金具等を木製方立と木製無目との側面に取付けて木製方立と木製無目を強固に固定するのが一般的である。
【０００３】
【特許文献１】特開２００１−１９３２０２号公報
【発明の開示】
【発明が解決しようとする課題】
【０００４】
従来技術ように、木製方立と木製無目との連結部に連結金具を用いた場合には、連結金具が室内に露出するので、外観を損なうと共に施工に手間がかかるという問題がある。
【０００５】
そこで、本発明は、施工が簡単で且つ方立と無目との連結部の外観が良好な木材−金属複合の壁面構成体の提供を目的とする。
【課題を解決するための手段】
【０００６】
請求項１に記載の発明は、木製方立と、木製方立の室外側に取付けた金属製方立と、木製無目と、木製無目の室外側に取付けた金属製無目とを備え、木製無目は、長手方向端面に突設した軸部と、室外側面の長手方向に設けた金属製無目取付部とを有し、木製方立は、室外側面の長手方向に設けた金属製方立取付部と、金属製方立取付部を左右方向に横断する軸部係止溝と、閉鎖板とを備え、木製無目の軸部を方立の軸部係止溝に係止して軸部係止溝の室外側開口を閉鎖板で閉じていることを特徴とする。
【０００７】
請求項２に記載の発明は、請求項１に記載の発明において、木製無目は室外側面に開口し且つ金属製無目の室内側部を呑み込む金属製無目取付溝を金属製無目取付部とし、木製方立は、室外側面に開口し且つ金属製方立の室内側部を呑み込む金属製方立取付溝を金属製方立取付部とすると共に、左右の側面に各々設けてあり且つ室外側から木製無目の端部を入れる開口を有する木製無目端部呑み込み溝と、金属製方立取付溝の溝底に設けた閉鎖板取付溝とを備え、軸部係止溝は木製無目端部呑み込み溝と連通し、金属製方立取付溝の溝底と閉鎖板の室外側面とは略同一面としてあり、金属製無目取付溝の溝底及び金属製方立取付溝の溝底には溝の長手方向に防水材を設けていることを特徴とする。
【０００８】
請求項３に記載の発明は、請求項１に記載の発明において、木製方立は金属製の芯材と、芯材の室内側右側面と室内側左側面と室内側見付面とを被覆した木製の被覆部材とから成り、木製無目は金属製の芯材と、芯材の室内側上面と室内側下面と室内側見付面とを被覆した木製の被覆部材とから成り、金属製無目取付部と軸部とが木製無目の芯材に設けてあり、金属製方立取付部と軸部係止溝とが木製方立の芯材に設けてあることを特徴とする。
【０００９】
請求項４に記載の発明は、請求項３に記載の発明において、軸部は木製無目の芯材の内部に設けた係止溝に固定した金属製部材であり、木製方立の芯材には軸部係止溝を横断する軸部の荷重を受ける金属製の補強部材が設けてあることを特徴とする。
【発明の効果】
【００１０】
請求項１に記載の発明によれば、室内側における木製方立と木製無目の連結は、木製無目の長手方向端面に突設した軸部を、木製方立の軸部係止溝に係止して、閉鎖板で軸部係止溝を閉じて軸部が係止溝から外れるのを防止する。従って、木材−金属複合の壁面構成体において、従来技術のようにＬ字連結金具等による木製方立と木製無目との固定が不要であるから、施工が簡単であると共に連結部の外観が良い。
【００１１】
請求項２に記載の発明によれば、請求項１に記載の効果を奏すると共に、木製方立に室外側から木製無目の端部を入れる木製無目端部呑み込み溝を設けているので、木製方立と木製無目との連結が簡単にでき、施工し易い。
金属製方立取付溝の溝底と閉鎖板の室外側面とを略同一面としているので、金属製方立を金属製方立取付溝に嵌め入れるときに閉鎖板が邪魔にならないので、施工しやすい。
金属製無目取付溝の溝底及び金属製方立取付溝の溝底には防水材を設けているので、木製無目及び木製方立が結露等により腐食するのを防止できると共に、金属製方立取付溝の溝底と閉鎖板の上面が略同一面なので、これらの上面に防水材を跨らせて設けることが容易にできるので、この部分においても木製無目及び木製方立が結露等による腐食を防止できる。
【００１２】
請求項３に記載の発明によれば、請求項１に記載の効果を奏すると共に、木製方立及び木製無目が金属製の芯材を有しており、且つ木製方立と木製無目との連結部分を金属製としているので、木調でありながら耐火性に優れる。
【００１３】
請求項４に記載の発明によれば、請求項３に記載の効果を奏すると共に、金属製の補強部材で木製無目の軸部の荷重を受けているので、火災のときに軸部係止溝が熱により変形したときに軸部が軸部係止溝から脱落するのを防止できる。また、軸部は金属製部材を木製無目の芯材の係止溝に固定してあるので、軸部の取付けが簡単である。
【発明を実施するための最良の形態】
【００１４】
以下に、添付図面を参照して本発明の実施の形態を説明する。まず、図１〜図３を参照して本発明の第１実施の形態を説明する。図１（ａ）は図３のＡ−Ａ断面図であり、（ｂ）は（ａ）における木製方立と木製無目の連結部を示す分解斜視図であり、図２は図３のＢ−Ｂ縦断面図であり、図３は第１実施の形態にかかる壁面構成体を室外側から見た正面図である。
本実施の形態にかかる壁面構成体１は、木材−金属複合の壁面構成体であり、室内側を木製とし室外側を金属製としたものである。即ち、壁面構成体１は、室内側に配置した木製方立３と、木製方立３の室外側に取付けた金属製方立５と、室内側に配置した左右の木製無目７、７と、左右の木製無目７、７の室外側に取付けた左右の金属製無目９、９とを備えている。
金属製方立５と、金属製無目９、９とで囲まれる内周にはそれぞれパネル１１が取付けられている。
木製無目７は木製方立３に係止する軸部１３と、金属製無目９を取付ける金属製無目取付部１５とを備えている。軸部１３は円柱状の木製部材であり、長手方向端面７ａに埋め込まれて先端を長手方向端面７ａから突設している。金属製無目取付部１５は、木製無目７の室外側面に設けてあり且つ長手方向に設けた溝であり、溝に金属製無目９を嵌め込んで溝底１６にねじで止めている。
木製方立３は、金属製方立取付部１７と、軸部係止溝１９と、木製無目端部呑み込み溝２１と、閉鎖板２５とを備えている。金属製方立取付部１７は、木製方立３の室外側面に長手方向に設けた溝であり、溝に金属製方立５の室内側部を嵌め込んで溝底１８にねじで止めている。
軸部係止溝１９は木製方立３の金属方立取付部１７に設けてあり、木製方立３を左右方向に横断すると共に室外側に開口した溝である。
木製無目端部呑み込み溝２１は、木製方立３の左右側面に各々設けてあり且つ室外側に開口した溝である。木製無目端部呑み込み溝２１には木製無目７の端面７ａが嵌め込まれている。
金属製方立取付部１７の溝底１８には、軸部係止溝１９の開口を跨いで閉鎖板取付溝２３が設けてある。この閉鎖板取付溝２３は閉鎖板２５の厚みと略同じ深さの溝であり、閉鎖板２５の室外側面２５ａと金属方立取付部１７の溝底１８とが略同一面にしている。
また、木製方立３の金属製方立取付部１７の溝底１８及び木製無目７の金属製無目取付部１５の溝底１６には各々溝の長手方向に防水材２７が設けてある。
閉鎖板２５は閉鎖板取付溝２３に嵌めて、軸部係止溝１９の室外側にある開口を塞いでおり埋め込みねじ２９、２９により金属方立取付部１７の溝底１８に固定している。
尚、金属製方立５及び金属製無目９の室外側にはパネル１１を取付ける押縁３１が係止されている。
【００１５】
次に、本実施の形態にかかる壁面構成体の施工、作用及び効果について説明する。壁面構成体１における木製方立３と木製無目７の連結は、木製無目７の長手方向端面７ａに突設した軸部１３を、木製方立３の左右側から軸部係止溝１９に係止すると共に木製無目７の端面７ａを木製端部嵌め込み溝２１に嵌め入れ、閉鎖板２５を木製方立３の室外側から閉鎖板取付溝２３に嵌合し、ねじ２９で木製方立３に固定する。
次に、木製方立３の金属製方立取付部１７の溝底１８と、木製無目７の金属製無目取付部１５の溝底１６との各々に防水材２７を配置して、金属製方立取付部１７には防水材２７の上から金属製方立５の室内側部をねじ固定し、金属製無目取付部１５には防水材２７の上から金属製無目９の室外側面をねじ固定した後、金属製無目９と金属製方立５にパネル１１を取付けて、押縁３１でパネル１１を固定する。
本実施の形態によれば、木製方立３と木製無目７との連結は、木製方立３の軸部係止溝１９に木製無目７の軸部１３を係止した後、軸部係止溝１９を閉鎖板２５により閉じるだけであり、従来技術のようにＬ字連結金具等による木製方立３と木製無目７との固定が不要であるから、施工が簡単であると共に連結部の外観が良い。
木製方立３に室外側から木製無目７の端部を入れる木製無目端部呑み込み溝２１を設けているので、木製方立３と木製無目７との連結が簡単にでき、施工し易い。
木製方立３において金属製方立取付部１７の溝底１８と閉鎖板２５の室外側面２５ａとを略同一面としているので、閉鎖板２５が邪魔にならずに金属製方立５を木製方立３に取付けでき、施工しやすい。
金属製無目取付部１５及び金属製方立取付部１７には防水材２７を設けているので、木製方立３及び木製無目７が結露水等により腐食するのを防止できると共に、金属製方立取付部１７の溝底１８と閉鎖板２５の上面が略同一面なので、これらの上面に防水材２７を跨らせて設けることが容易にできるので、この部分においても木製無目７及び木製方立３が結露等による腐食を防止できる。
【００１６】
次に、図４及び図５を参照して本発明の第２実施の形態を説明するが、以下に説明する実施の形態において、上述した第１実施の形態と同一の作用効果を奏する部分には同一の符号を付することによりその部分の詳細な説明を省略し、以下の説明では第１実施の形態と異なる点を主に説明する。
図４（ａ）は、第２実施の形態にかかる壁面構成体を図３のＡ−Ａと同じ位置で切断した断面図であり、（ｂ）は（ａ）における木製方立と木製無目の連結部を示す分解斜視図であり、図５は第２実施の形態にかかる壁面構成体を図３のＢ−Ｂと同じ位置で切断した縦断面図である。尚、図４（ｂ）で二点鎖線で抜き出して示しているのは軸部材の斜視図である。
第２実施の形態では、木製方立３は金属製の芯材４１と、木製の被覆部材４３とから構成されており、被覆部材４３は、芯材４１の室内側右側面と、室内側左側面と、室内側見付面との各々を被覆している。金属製方立取付部１７は芯材４１の室外側面に設けてあり、軸部係止溝１９も芯材４１の室外側面に設けてある。木製方立３の芯材４１はアルミニウム合金製である。
木製無目端部の見込み溝２１は、木製方立３の芯材４１の左側面を覆う被覆部材４３と右側面を覆う被覆部材４３とに各々形成してある。木製方立３の芯材４１には、木製無目７の端面７ａに設けた軸部１３を支持する補強部材４５がねじ固定されている。補強部材４５は上端が軸部係止溝１９内に位置して、軸部係止溝１９を横断する軸部１３の荷重を受けている。補強部材４５はスチール製である。
左右の木製無目７は、金属製の芯材４７と木製の被覆部材４９とから構成されており、被覆部材４９は芯材４７の室内側上面と、室内側下面と室内側見付面との各々を被覆している。金属製無目取付部１５は木製無目７の芯材４７の室外側面に設けてある。木製無目７の芯材４７は内部に軸部１３の係止溝５１が設けてあり、軸部材１３は四角柱状の金属製部材であり、断面略矩形の係止溝４１に嵌合して先端を長手方向端面７ａから突設している。木製無目７の芯材４７はアルミニウム合金製であり、軸部部１３はスチール製である。
この第２実施の形態によれば、木製方立３及び左右の木製無目７が金属製の芯材４１、４７を有しており、且つ木製方立３の芯材４１に木製無目７の軸部１３を係止する軸部係止溝１９を設けていると共に軸部１３を金属製部材として木製方立３と木製無目７との連結部分を金属製としているので、室内側が木調でありながら耐火性に優れる。
木製無目７の係止溝５１は木製無目７の芯材４７を押出成形したときに同時に形成することができると共に軸部１３は金属部材であり係止溝５１に嵌合するだけであるから、容易に軸部１３の取付けができる。
金属製の補強部材４５で木製無目７の金属製の軸部１３を支持して軸部１３にかかる荷重を受けているので、火災のときに軸部係止溝４１が熱により変形しても軸部１３が軸部係止溝１９から脱落するのを防止できる。
【００１７】
本発明は、上述した実施の形態に限らず、本発明の要旨を逸脱しない範囲で種々変形可能である。
例えば、軸部１３の形状は円柱や四角柱状に限定されず、三角柱状や六角柱状であってもよい。
【図面の簡単な説明】
【００１８】
【図１】（ａ）は図３のＡ−Ａ断面図であり、（ｂ）は（ａ）における木製方立と木製無目の連結部を示す分解斜視図である。
【図２】図３のＢ−Ｂ縦断面図である。
【図３】本実施の形態にかかる壁面構成体を室外側から見た正面図である。
【図４】（ａ）は、第２実施の形態にかかる壁面構成体を図３のＡ−Ａと同じ位置で切断した断面図であり、（ｂ）は（ａ）における木製方立と木製無目の連結部を示す分解斜視図である。
【図５】第２実施の形態にかかる壁面構成体を図３のＢ−Ｂと同じ位置で切断した縦断面図である。
【符号の説明】
【００１９】
１      壁面構成体
３      木製方立
５      金属製方立
７      木製無目
７ａ    端面
９      金属製無目
１３    軸部
１５    金属製無目取付部
１６    溝底
１７    金属製方立取付部
１８    溝底
１９    軸部係止溝
２１    木製無目端部呑み込み溝
２３    閉鎖板取付溝
２５    閉鎖板
２７    防水材
４１    芯材（木製方立の芯材）
４３    被覆部材（木製方立の被覆部材）
４５    補助部材
４７    芯材（木製方立の芯材）
４９    被覆部材（木製無目の被覆部材）
５１    係止溝
【図１】
2005307727.tif 000003
【図２】
2005307727.tif 000004
【図３】
2005307727.tif 000005
【図４】
2005307727.tif 000006
【図５】
2005307727.tif 000007